(57)【要約】【課題】  交通機関を利用して店舗に訪れてくれたお客さんに対し、所定のサービスを提供することを可能とするシステムや装置等を提供すること。【解決手段】  購入金額修正システムであって、記憶媒体を携帯するユーザが交通機関を利用する際に、携帯される記憶媒体からユーザＩＤを読み出し、当該ユーザによる交通機関の利用に係る情報とユーザＩＤとを移動情報として送出する装置と、記憶媒体を携帯するユーザが商品を購入する際に、携帯される記憶媒体からユーザＩＤを読み出し、当該ユーザによる商品の購入に係る情報とユーザＩＤとを購入情報として送出する装置と、移動情報を及び購入情報を受信し、購入情報に含まれる購入金額から、当該購入情報とユーザＩＤが一致する移動情報に含まれる運賃の全額又は一部を減算し、ユーザに対する請求額として修正後購入金額を算出する装置とを含む。【選択図】図２
2006134018.tif 000002
【特許請求の範囲】
【請求項１】
少なくともユーザＩＤを記憶する記憶媒体と、
前記記憶媒体を携帯するユーザが交通機関を利用する際に、携帯される前記記憶媒体からユーザＩＤを読み出す読出手段と、当該ユーザによる交通機関の利用に係る情報と前記読出手段により読み出されたユーザＩＤとを移動情報として送出する送出手段とを備える交通機関側装置と、
前記記憶媒体を携帯するユーザが商品を購入する際に、携帯される前記記憶媒体からユーザＩＤを読み出す読出手段と、当該ユーザによる商品の購入に係る情報と、前記読出手段により読み出されたユーザＩＤとを購入情報として送出する送出手段とを備える店舗側装置と、
前記移動情報を及び前記購入情報を受信する受信手段と、前記購入情報に含まれる購入金額から、当該購入情報とユーザＩＤが一致する前記移動情報に含まれる運賃の全額又は一部を減算することにより、ユーザに対する請求額として修正後購入金額を算出する算出手段とを備える決済サーバと
を含む購入金額修正システム。
【請求項２】
前記移動情報は、ユーザの乗車駅及び／又は降車駅の情報を含み、
前記購入情報は、購入店舗の情報を含み、
前記算出手段は、ユーザＩＤが一致する移動情報に含まれる乗車駅及び／又は降車駅と購入情報に含まれる購入店舗とが所定の関係を有する場合に、前記減算を行い、修正後購入金額を算出する
請求項１に記載の購入金額修正システム。
【請求項３】
前記移動情報は、ユーザの乗降駅の情報を含み、
前記購入情報は、購入店舗の情報を含み、
前記購入店舗の情報は、店舗を判別するための情報と、店舗の属する商店街を判別するための情報とを含み、
前記決済サーバは、予め商店街と乗降駅とを対応づけて記憶する記憶手段をさらに備え、
前記算出手段は、前記移動情報及び前記購入情報が、前記記憶手段に記憶された対応付けに一致する場合に、前記減算を行うことにより修正後購入金額を算出する
請求項１に記載の購入金額修正システム。
【請求項４】
前記移動情報は、ユーザの乗車日時及び／又は降車日時を含み、
前記購入情報は、購入日時の情報を含み、
前記算出手段は、ユーザＩＤが一致する移動情報に含まれる乗車日時及び／又は降車日時と購入情報に含まれる購入日時とが所定の関係を有する場合に、前記減算を行い、修正後購入金額を算出する
請求項１に記載の購入金額修正システム。
【請求項５】
前記移動情報は、ユーザの乗車日時及び／又は降車日時の情報と、ユーザの乗車駅及び／又は降車駅の情報とを含み、
前記購入情報は、購入日時の情報と、購入店舗の情報とを含み、
前記算出手段は、ユーザＩＤが一致する移動情報に含まれる情報と購入情報に含まれる情報とが所定の関係を有する場合に、前記減算を行い、修正後購入金額を算出する
請求項１に記載の購入金額修正システム。
【請求項６】
少なくともユーザＩＤを記憶する記憶媒体と、
前記記憶媒体を携帯するユーザが交通機関を利用する際に、携帯される記憶媒体に対し
、当該ユーザによる交通機関の利用に係る情報を移動情報として書き込む書込手段とを備える交通機関側装置と、
前記記憶媒体を携帯するユーザが商品を購入する際に、携帯される前記記憶媒体から移動情報を読み出す読出手段と、当該ユーザにより行われようとしている商品の購入に係る購入情報を記憶する記憶手段と、前記購入情報に含まれる購入金額から、前記移動情報に含まれる運賃の全額又は一部を減算することにより、修正後購入金額を算出する算出手段と、前記算出手段により修正後購入金額が算出された場合にこの修正後購入金額をユーザに対する請求額として表示する表示手段とを備える店舗側装置と、
を含む購入金額修正システム。
【請求項７】
物品の購入に係る情報であって、購入者を示すユーザＩＤと購入金額とを含む購入情報を記憶する購入情報記憶手段と、
交通機関の利用に係る情報であって、利用者を示すユーザＩＤと運賃とを含む移動情報を記憶する移動情報記憶手段と、
前記購入情報の購入金額から、当該購入情報のユーザＩＤとユーザＩＤが一致する前記移動情報に含まれる運賃の全額又は一部を減算することにより、修正後購入金額を算出する算出手段と
を含む決済サーバ。
【請求項８】
ユーザＩＤが記憶された記憶媒体を携帯するユーザが商品を購入する際に前記記憶媒体から前記ユーザＩＤを読み出す読出手段と、当該ユーザによる商品の購入に係る情報及び前記読出手段により読み出されたユーザＩＤを購入者情報として決済サーバに送信する送信手段と、を備える店舗側装置に接続された決済サーバであって、
前記ユーザが交通機関を利用する際に前記記憶媒体から前記ユーザＩＤを読み出す読出手段と、当該ユーザによる交通機関の利用に係る情報と前記読出手段により読み出されたユーザＩＤとを移動情報として中央サーバに送信する送信手段と、を備える交通機関側装置に接続された中央サーバから、前記移動情報を受信する受信手段と、
前記店舗側装置から送信された情報を前記中央サーバに送信する送信手段と、
前記購入情報に含まれる購入店舗を示す情報と、前記移動情報に含まれる乗降駅を示す情報とから、前記ユーザに対するサービスを行うか否か判定する判定手段と、
前記判定手段により、サービスを行うと判定された場合に、前記購入情報に含まれる購入金額と、前記移動情報に含まれる運賃とから、ユーザに対するサービス金額を算出する算出手段と、
前記算出手段により算出されたサービス金額について割引処理を行う割引処理手段と
を備える決済サーバ。
【請求項９】
ユーザＩＤが記憶された記憶媒体を携帯するユーザが交通機関を利用する際に前記記憶媒体から前記ユーザＩＤを読み出す読出手段と、当該ユーザによる交通機関の利用に係る情報と前記読出手段により読み出されたユーザＩＤとを移動情報として中央サーバに送信する送信手段と、を備える交通機関側装置と、
前記ユーザが商品を購入する際に前記記憶媒体から前記ユーザＩＤを読み出す読出手段と、当該ユーザによる商品の購入に係る情報及び前記読出手段により読み出されたユーザＩＤを購入者情報として決済サーバに送信する送信手段と、を備える店舗側装置に接続された決済サーバであって、前記交通機関側装置に接続された中央サーバから前記移動情報を受信する受信手段と、前記店舗側装置から送信された情報を前記中央サーバに送信する送信手段と、前記購入情報に含まれる購入店舗を示す情報と、前記移動情報に含まれる乗降駅を示す情報とから、前記ユーザに対するサービスを行うか否か判定する判定手段と、前記判定手段により、サービスを行うと判定された場合に、前記購入情報に含まれる購入金額と、前記移動情報に含まれる運賃とから、ユーザに対するサービス金額を算出する算出手段と、前記算出手段により算出されたサービス金額について割引処理を行う割引処理
手段とを備える決済サーバと
を含む購入金額修正システム。
【発明の詳細な説明】
【技術分野】
【０００１】
本発明は、交通機関の運賃支払い及び店舗における商品やサービスへの支払いにおいてポストペイ式決済を実現する決済システム等に適用されて有効な技術に関する。
【背景技術】
【０００２】
従来から、電子マネーで決済を行うシステムが提案されている。これらの決済システムには、大きく分けてプリペイド式のものとポストペイ式のものとがある。従来はプリペイド式のシステムが普及していたが、近年はポストペイ式のシステムも普及してきている。
【０００３】
ポストペイ式の決済システムの場合、ユーザは、自身が携帯する端末等（携帯電話機やカード等）を用いることによって支払いする。例えば、ユーザは、ＩＣチップが搭載されたカードと、交通機関の改札や店舗のレジ等に備えられたリーダ／ライタとを通信させることにより、支払いをすることができる。そして、一定の期間毎に、それまでに支払われた金額が、所定の口座などから一括して引き落とされる。
【０００４】
このようなポストペイ式の決済システムでは、様々なサービスを提供するためのシステムが提案されている。例えば、ホテルに宿泊した客が、滞在中にホテル外で使用した料金をチェックアウト時にまとめて清算することができるシステムがある（特許文献１参照）。具体的には、このシステムを採用するホテルは、まず、交通機関の共通の精算会社やレストラン、商店等と契約をする。ホテルの客は、ホテル名、部屋番号、個人のＩＤ，利用機関コード、金額等が記録された接触型あるいは非接触型カードを受け取る。このカードは、例えば部屋キーカードでもよい。そして、ホテルの客は、外部の提携した利用機関でカードを用いて利用料金を精算し、ホテルのチェックアウト時に利用機関での利用料金の精算を行うことができる。
【特許文献１】特開２００１−３０７２２１号公報
【発明の開示】
【発明が解決しようとする課題】
【０００５】
ところで、従来は、電車や地下鉄やバス等の交通機関を利用して店舗へわざわざ足を運んで頂いたお客さんに対し、その手間や運賃に対して店舗側が十分に報いる仕組みが提案されていなかった。例えば、交通機関を利用して自宅から店舗へ買い物に出掛けた場合、交通機関を利用しないで地元の店舗へ買い物に出掛けた場合に比べて往復運賃が余計に必要となってしまう。また、出先から自宅への帰り道で交通機関を途中下車して店舗へ買い物に行った場合にも、余計な運賃が必要となってしまう。上述したように、このような余計な運賃の発生に対し、店舗側としてお客さんに報いることができていなかった。そして、上記のように様々なサービスのためのシステムが提案されてきているポストペイシステムにおいても同様に、このような問題を解決するシステムは提案されていない。
【０００６】
このような現状では、店舗側に相当の顧客吸引力が備えられない限り、お客さんを他の地域から呼び寄せることが難しかった。従って、店舗としては、交通機関を利用することなく当該店舗に訪れることが可能な限られたお客さんのみを相手に商売せざるをえなかった。
【０００７】
そこで、本発明は、交通機関を利用して店舗に訪れてくれたお客さんに対し、所定のサービスを提供することを可能とするシステムや装置等を提供することを目的とする。
【課題を解決するための手段】
【０００８】
上記課題を解決するため、本発明は以下のような構成をとる。本発明の第一の態様は、購入金額修正システムであって、記憶媒体，交通機関側装置，店舗側装置，及び決済サーバを含む。記憶媒体は、少なくともユーザＩＤを記憶する。このユーザＩＤとは、基本的にはこの記憶媒体の携帯主を示すユーザＩＤである。
【０００９】
交通機関側装置は、読出手段と送出手段とを備える。読出手段は、記憶媒体を携帯するユーザが交通機関を利用する際に、携帯される記憶媒体からユーザＩＤを読み出す。送出手段は、当該ユーザによる交通機関の利用に係る情報と読出手段により読み出されたユーザＩＤとを移動情報として送出する。交通機関の利用に係る情報とは、例えば乗車駅を示す情報，乗車日時を示す情報，降車駅を示す情報，降車日時を示す情報，運賃を示す情報のいずれか又は組み合わせであっても良い。
【００１０】
店舗側装置は、読出手段と送出手段とを備える。読出手段は、記憶媒体を携帯するユーザが商品を購入する際に、携帯される記憶媒体からユーザＩＤを読み出す。送出手段は、当該ユーザによる商品の購入に係る情報と、読出手段により読み出されたユーザＩＤとを購入情報として送出する。商品の購入に係る情報とは、例えば購入品を示す情報，購入店舗を示す情報，購入日時を示す情報，及び購入金額を示す情報のいずれか又は組み合わせであっても良い。
【００１１】
決済サーバは、受信手段と算出手段とを備える。受信手段は、移動情報を及び購入情報を受信する。算出手段は、受信手段によって受信された情報に基づいて修正後購入金額を算出する。具体的には、算出手段は、購入情報に含まれる購入金額から、当該購入情報とユーザＩＤが一致する移動情報に含まれる運賃の全額又は一部を減算することにより、ユーザに対する請求額として修正後購入金額を算出する。
【００１２】
本発明の第一の態様によれば、あるユーザが交通機関を利用して店舗に買い物に来た場合に、移動情報と購入情報とにおけるユーザＩＤの一致から、その事実を算出手段において判断することができる。そして、ユーザＩＤが一致した場合に、購入金額から運賃の全額又は一部を差し引くことにより、わざわざ店舗来てくれたお客さんに対するサービス（運賃の全額又は一部の還元）を実施できる。
【００１３】
本発明の第一の態様における移動情報はユーザの乗車駅及び／又は降車駅の情報を含み、購入情報は購入店舗の情報を含むように構成されても良い。この場合、算出手段は、ユーザＩＤが一致する移動情報に含まれる乗車駅及び／又は降車駅と購入情報に含まれる購入店舗とが所定の関係を有する場合に、減算を行い、修正後購入金額を算出するように構成されても良い。このとき、所定の関係とは、この移動情報によって表される移動が、この購入情報によって表される購入と関係するものであると認められることをいう。例えば、各購入店舗において予め乗車駅及び／又は降車駅が設定されている場合には、移動情報に含まれる乗車駅及び／又は降車駅が、購入情報に含まれる購入店舗において上記のように設定されたものであることを言う。また、所定の関係とは、例えば購入店舗と乗車駅及び／又は降車駅の距離が一定値内であることであっても良い。
【００１４】
このように構成されることにより、購入情報によって表される購入とは関係のない移動により生じた運賃を、店舗側で割り引くといった不合理を防止することが可能となる。
【００１５】
本発明の第一の態様における移動情報はユーザの乗降駅の情報を含み、購入情報は購入店舗の情報を含み、購入店舗の情報は店舗を判別するための情報と店舗の属する商店街を判別するための情報とを含むように構成されても良い。この場合、決済サーバは、予め商店街と乗降駅とを対応づけて記憶する記憶手段をさらに備えるように構成されても良い。また、この場合算出手段は、移動情報及び購入情報が、記憶手段に記憶された対応付けに
一致する場合に、減算を行うことにより修正後購入金額を算出するように構成されても良い。
【００１６】
本発明の第一の態様における移動情報は、ユーザの乗車日時及び／又は降車日時を含み、購入情報は、購入日時の情報を含むように構成されても良い。この場合、算出手段は、ユーザＩＤが一致する移動情報に含まれる乗車日時及び／又は降車日時と購入情報に含まれる購入日時とが所定の関係を有する場合に、減算を行い、修正後購入金額を算出するように構成されても良い。このときの所定の関係とは、上記の場合と基本的には同じである。例えば、購入日時前の所定時間内に降車日時がある場合、及び／又は購入日時の所定時間後に乗車日時がある場合には、所定の関係があると判断されても良い。このように構成されることにより、上記と同様に、購入情報によって表される購入とは関係のない移動により生じた運賃を、店舗側で割り引くといった不合理を防止することが可能となる。
【００１７】
本発明の第一の態様における移動情報は、ユーザの乗車日時及び／又は降車日時の情報と、ユーザの乗車駅及び／又は降車駅の情報とを含むように構成されても良い。また、購入情報は、購入日時の情報と、購入店舗の情報とを含むように構成されても良い。この場合、算出手段は、ユーザＩＤが一致する移動情報に含まれる情報と購入情報に含まれる情報とが所定の関係を有する場合に、減算を行い、修正後購入金額を算出するように構成されても良い。このときの所定の関係とは、上記の場合と基本的には同じである。このように構成されることによっても、上記と同様に、購入情報によって表される購入とは関係のない移動により生じた運賃を、店舗側で割り引くといった不合理を防止することが可能となる。
【００１８】
本発明の第二の態様は、購入金額修正システムであって、記憶媒体と、交通機関側装置と、店舗側装置とを含む。記憶媒体は、少なくともユーザＩＤを記憶する。
【００１９】
交通機関側装置は、書込手段を備える。書込手段は、記憶媒体を携帯するユーザが交通機関を利用する際に、携帯される記憶媒体に対し、当該ユーザによる交通機関の利用に係る情報を移動情報として書き込む。
【００２０】
店舗側装置は、読出手段，記憶手段，算出手段，及び表示手段を備える。読出手段は、記憶媒体を携帯するユーザが商品を購入する際に、携帯される記憶媒体から移動情報を読み出す。記憶手段は、当該ユーザにより行われようとしている商品の購入に係る購入情報を記憶する。算出手段は、購入情報に含まれる購入金額から、移動情報に含まれる運賃の全額又は一部を減算することにより、修正後購入金額を算出する。表示手段は、算出手段により修正後購入金額が算出された場合にこの修正後購入金額をユーザに対する請求額として表示する。
【００２１】
このように構成された本発明の第二の態様によれば、店舗側装置において、修正後購入金額を算出することが可能となる。そして、表示手段により修正後購入金額が表示されるため、購入者、即ち記憶媒体の携帯者は、その場で修正後購入金額を確認することができる。言い換えれば、購入者は、その場で、運賃の割引サービスを受けたことを実感することが可能となる。
【００２２】
本発明の第三の態様は、決済サーバであって、購入情報記憶手段，移動情報記憶手段，及び算出手段を備える。購入情報記憶手段は、物品の購入に係る情報であって、購入者を示すユーザＩＤと購入金額とを含む購入情報を記憶する。移動情報記憶手段は、交通機関の利用に係る情報であって、利用者を示すユーザＩＤと運賃とを含む移動情報を記憶する。算出手段は、購入情報の購入金額から、当該購入情報のユーザＩＤとユーザＩＤが一致する移動情報に含まれる運賃の全額又は一部を減算することにより、修正後購入金額を算
出する。
【００２３】
本発明の第四の態様は、ユーザＩＤが記憶された記憶媒体を携帯するユーザが商品を購入する際に記憶媒体からユーザＩＤを読み出す読出手段と、当該ユーザによる商品の購入に係る情報及び読出手段により読み出されたユーザＩＤを購入者情報として決済サーバに送信する送信手段と、を備える店舗側装置に接続された決済サーバであって、受信手段，送信手段，判定手段，算出手段，及び割引処理手段を備える。受信手段は、交通機関側装置に接続された中央サーバから、移動情報を受信する。なお、交通機関側装置は、ユーザが交通機関を利用する際に記憶媒体からユーザＩＤを読み出す読出手段と、当該ユーザによる交通機関の利用に係る情報と読出手段により読み出されたユーザＩＤとを移動情報として中央サーバに送信する送信手段と、を備える。
【００２４】
送信手段は、店舗側装置から送信された情報を中央サーバに送信する。
【００２５】
判定手段は、購入情報に含まれる購入店舗を示す情報と、移動情報に含まれる乗降駅を示す情報とから、ユーザに対するサービスを行うか否か判定する。
【００２６】
算出手段は、判定手段により、サービスを行うと判定された場合に、購入情報に含まれる購入金額と、移動情報に含まれる運賃とから、ユーザに対するサービス金額を算出する。そして、割引処理手段は、算出手段により算出されたサービス金額について割引処理を行う。
【００２７】
本発明の第五の態様は、購入金額修正システムであって、本発明の第四の態様における決済サーバと、交通機関側装置とを含む。ここで、交通機関側装置は、ユーザＩＤが記憶された記憶媒体を携帯するユーザが交通機関を利用する際に記憶媒体からユーザＩＤを読み出す読出手段と、当該ユーザによる交通機関の利用に係る情報と読出手段により読み出されたユーザＩＤとを移動情報として中央サーバに送信する送信手段と、を備える。
【００２８】
本発明の第一〜第五の態様は、プログラムが情報処理装置によって実行されることによって実現されても良い。即ち、本発明は、上記した第一〜第五の態様における各手段が実行する処理を、情報処理装置に対して実行させるためのプログラム、或いは当該プログラムを記録した記録媒体として特定することができる。また、本発明は、上記した各手段が実行する処理を情報処理装置が実行する方法をもって特定されても良い。
【発明の効果】
【００２９】
本発明によれば、交通機関を利用して店舗に訪れてくれたお客さんに対し、所定のサービス（具体的には運賃の全額又は一部を還元するサービス）を提供することが可能となる。
【発明を実施するための最良の形態】
【００３０】
〔システム構成〕
図１は、決済システム１の機能ブロック例を示す図である。決済システム１は、データ記憶媒体２，交通機関側装置３，店舗側装置４，中央サーバ５，及び決済サーバ６を用いて構成される。以下、各構成について説明する。
【００３１】
〈データ記憶媒体〉
データ記憶媒体２は、ユーザによって携帯される装置であり、書き換え可能な記憶媒体を用いて構成される。例えば、データ記憶媒体２は、ＩＣカードを用いて構成されても良いし、携帯電話機などの携帯情報処理装置を用いて構成されても良い。データ記憶媒体２に記憶されるデータは、交通機関側装置３及び店舗側装置４によって読み出される。また
、データ記憶媒体２に記憶されるデータは、交通機関側装置３及び店舗側装置４によって書き換えられる。例えば、データ記憶媒体２では、専用のリーダ／ライタに接触又は非接触で接近することにより、データの読み書きが行われても良い。
【００３２】
データ記憶媒体２は、例えば以下のようなデータを記憶する。ユーザＩＤ，乗車駅，乗車日時，降車駅，降車日時，運賃，購入品ＩＤ，購入店舗ＩＤ，購入日時，購入金額。このうち、ユーザＩＤは、交通機関側装置３や店舗側装置４によっては書き換え不可能に記憶される。乗車駅は、ユーザが利用した交通機関の乗車駅を示す。乗車駅は、ＩＤによって示されても良い。乗車日時は、ユーザが交通機関を利用した際の乗車日時を示す。降車駅は、ユーザが利用した交通機関の降車駅を示す。降車駅はＩＤによって示されても良い。降車日時は、ユーザが交通機関を利用した際の降車日時を示す。運賃は、ユーザが交通機関を利用した際の運賃を示す。乗車駅から運賃までの上記五つのデータは対応づけて記憶される。即ち、ある運賃のデータは、その運賃の発生のもととなった乗降車の駅とその日時と対応づけて記憶される。また、購入品ＩＤは、ユーザがデータ記憶媒体２を用いて支払いをして購入した購入品を示すＩＤである。購入店舗ＩＤは、ユーザが品物を購入した店舗を示すＩＤである。このＩＤは、店舗を一意に識別可能となるように予め各店舗に付与される。購入日時は、その支払いが行われた日時を示す。購入金額は、支払われた金額を示す。購入品ＩＤから購入金額までの上記四つのデータは対応づけて記憶される。
【００３３】
〈交通機関側装置〉
交通機関側装置３は、ハードウェア的には、バスを介して接続されたＣＰＵ（中央演算処理装置），主記憶装置（ＲＡＭ：Random Access Memory），補助記憶装置などを備える。補助記憶装置は、不揮発性記憶装置を用いて構成される。ここで言う不揮発性記憶装置とは、いわゆるＲＯＭ（Read-Only Memory：ＥＰＲＯＭ（Erasable Programmable Read-Only Memory），ＥＥＰＲＯＭ（Electrically Erasable Programmable Read-Only Memory
），マスクＲＯＭ等を含む），ＦＲＡＭ（Ferroelectric RAM），ハードディスク等を指
す。
【００３４】
交通機関側装置３は、補助記憶装置に記憶された各種のプログラム（ＯＳ，アプリケーション等）が主記憶装置にロードされＣＰＵにより実行されることによって、読み書き部３１及び送信部３２等を含む装置として機能する。なお、交通機関側装置３の全部又は一部は、専用のチップとして構成されても良い。次に、交通機関側装置３が含む各機能部について説明する。
【００３５】
まず、読み書き部３１について説明する。読み書き部３１は、データ記憶媒体２に対してデータの読み書きが可能な装置（リーダ／ライタ）を用いて構成される。例えば、読み書き部３１は、データ記憶媒体２のユーザが交通機関をこれから利用しようとする者である場合、乗車駅及び乗車日時をデータ記憶媒体２に書き込む。また、読み書き部３１は、データ記憶媒体２のユーザが交通機関の利用を終えようとする者（その運賃の支払いをしようとする者）である場合は、乗車情報（ユーザＩＤ，乗車駅，乗車日時）を読み出し、最新の乗車駅と現在の駅（即ち降車駅）とに基づいて運賃を取得する。なお、交通機関側装置３は、自身が設置された駅の情報を予め有する。そして、読み書き部３１は、データ記憶媒体２に対し、降車情報（降車駅，降車日時，運賃）を書き込む。
【００３６】
なお、ユーザが交通機関をこれから利用しようとする者であるか否かは、例えばその装置又は読み書き部３１の設置位置によって判断することができる。読み書き部３１は、例えば改札の外側に設置された場合は、処理対象となるデータ記憶媒体２のユーザを、交通機関をこれから利用しようとする者であると常に判断しても良い。同様に、読み書き部３１は、例えば改札の内側に設置された場合は、処理対象となるデータ記憶媒体２のユーザを、交通機関の利用を終えようとする者であると常に判断しても良い。
【００３７】
次に、送信部３２について説明する。送信部３２は、移動情報を中央サーバ５へ送信する。移動情報とは、読み書き部３１によって取得されたユーザＩＤ，乗車駅，乗車日時，降車駅，降車日時，及び運賃を示す。送信部３２は、読み書き部３１によって読み書きが行われた都度に移動情報を送信しても良いし、所定のタイミングで送信しても良い。
【００３８】
〈店舗側装置〉
店舗側装置４は、補助記憶装置に記憶された各種のプログラム（ＯＳ，アプリケーション等）が主記憶装置にロードされＣＰＵにより実行されることによって、読み書き部４１及び送信部４２等を含む装置として機能する。なお、店舗側装置４の全部又は一部は、専用のチップとして構成されても良い。次に、店舗側装置４が含む各機能部について説明する。
【００３９】
まず、読み書き部４１について説明する。読み書き部４１は、データ記憶部装置２に対してデータの読み書きが可能な装置（リーダ／ライタ）を用いて構成される。例えば、読み書き部４１は、データ記憶媒体２のユーザが商品の購入をしようとする場合には、データ記憶媒体２からユーザＩＤを読み出す。そして、読み書き部４１は、購入品ＩＤ，購入店舗ＩＤ，購入日時，及び購入金額を、データ記憶媒体２に書き込む。なお、データ記憶媒体２に書き込まれる購入品ＩＤと購入金額とは、例えば店舗に備えられたＰＯＳシステムによって取得されても良い。また、購入店舗ＩＤは、予め店舗側装置４に記憶されている。
【００４０】
次に、送信部４２について説明する。送信部４２は、読み書き部４１によってデータ記憶媒体２から読み出されたユーザＩＤと、データ記憶媒体２に書き込まれた購入品ＩＤ，購入店舗ＩＤ，購入日時，及び購入金額とを決済サーバ６に送信する。以下、ユーザＩＤ，購入品ＩＤ，購入店舗ＩＤ，購入日時，及び購入金額をまとめて購入情報と呼ぶ。
【００４１】
〈中央サーバ〉
中央サーバ５は、補助記憶装置に記憶された各種のプログラム（ＯＳ，アプリケーション等）が主記憶装置にロードされＣＰＵにより実行されることによって、送受信部５１及び決済部５２等を含む装置として機能する。なお、中央サーバ５の全部又は一部は、専用のチップとして構成されても良い。次に、中央サーバ５が含む各機能部について説明する。
【００４２】
送受信部５１は、交通機関側装置３及び決済サーバ６と通信可能に構成される。このとき、これらの通信に適用される通信技術はどのようなものであっても良い。ただし、ユーザＩＤや購入品ＩＤなど重要なデータがやりとりされるため、セキュリティの高い通信技術が適用されることが望ましい。送受信部５１は、交通機関側装置３から、移動情報を取得する。また、送受信部５１は、交通機関側装置３から受信した移動情報を、決済サーバ６へ送信する。また、送受信部５１は、交通機関側装置３から受信した移動情報を、決済部５２へ渡す。
【００４３】
また、送受信部５１は、決済サーバ６から、修正後購入情報を受信する。修正後購入情報については、決済サーバ６の節で説明する。また、送受信部５１は、決済サーバ６から受信した修正後購入情報を、決済部５２へ渡す。
【００４４】
決済部５２は、送受信部５１から受け取る移動情報及び修正後購入情報に基づいて、決済を行う。具体的には、移動情報に含まれる運賃と、修正後購入情報に含まれる修正後購入金額とを、ユーザＩＤから特定されるユーザの口座から引き落とす処理を行う。また、決済部５２は、運賃に相当する額を、該当する交通機関の口座へ振り込む処理を行う。ま
た、決済部５２は、修正後購入金額を、該当する店舗の口座へ振り込む処理を行う。このとき、決済部５２は、複数の店舗に対する振り込み額の合計を、この複数の店舗によって予め指定されている共通の口座へ振り込むように構成されても良い。
【００４５】
〈決済サーバ〉
決済サーバ６は、補助記憶装置に記憶された各種のプログラム（ＯＳ，アプリケーション等）が主記憶装置にロードされＣＰＵにより実行されることによって、送受信部６１及び請求額算出部６２等を含む装置として機能する。なお、決済サーバ６の全部又は一部は、専用のチップとして構成されても良い。次に、決済サーバ６が含む各機能部について説明する。
【００４６】
送受信部６１は、店舗側装置４から購入情報を受信する。また、送受信部６１は、中央サーバ５から、移動情報を受信する。また、送受信部６１は、請求額算出部６２から、修正後購入情報を受け取った場合は、この修正後購入情報を中央サーバ５へ送信する。
【００４７】
次に、請求額算出部６２について説明する。請求額算出部６２は、送受信部６１から受け取るデータに基づいて、修正後購入情報を算出する。以下、請求額算出部６２が修正後購入情報を作成するまでの処理について説明する。
【００４８】
請求額算出部６２は、中央サーバ５から受信された移動情報と、店舗側装置４から受信された購入情報との中から、それぞれのユーザＩＤが一致するものを検出する。請求額算出部６２は、ユーザＩＤが一致する移動情報と購入情報とが検出された場合、乗車日時，乗車駅，降車日時，降車駅，購入店舗ＩＤ，購入日時などが、所定の関係を有するか否か判断する。所定の関係とは、この移動情報によって表される移動が、この購入情報によって表される購入と関係するものであると認められることをいう。例えば、購入日時前の所定時間内に降車日時が存し、且つ購入店舗から所定の距離内にその降車駅が位置する場合には、所定の関係を満たすと判断されても良い。また、例えば、購入日時後の所定時間内に乗車日時が存し、且つ購入店舗から所定の距離内にその乗車駅が位置する場合には、所定の関係を満たすと判断されても良い。所定時間や所定距離は、設計者によって自由に設定されて良い。例えば、購入金額が高くなるにつれて所定時間や所定距離が大きくなるように設定されても良い。また、所定時間や所定距離は、購入品ＩＤや購入店舗ＩＤ毎に異なるように設定されても良い。また、所定距離ではなく、乗車駅や降車駅が店舗に対応づけて予め設定されていても良い。例えば、Ａ商店と、ａ駅，ｂ駅，及びｃ駅とが対応づけて設定され、Ｂ商店と、ｂ駅及びｄ駅とが対応づけて設定されている場合は、例えば以下のような場合に所定の関係を有すると判断される。ａ駅で降車したユーザが、Ａ商店で商品の購入をした場合。Ｂ商店で商品の購入をしたユーザがその後ｄ駅で乗車した場合。このような対応付けは、上記のように各店舗と駅とが対応づけられても良いし、複数の商店を含む商店街と駅とが対応づけられても良い。後者の場合、各店舗に設置される店舗側装置４はには、ＩＤが割り当てられても良い。例えば、５桁の数字のＩＤが割り当てられ、上２桁が商店街を示し、下３桁が各店舗を示すように設定されても良い。
【００４９】
請求額算出部６２は、ユーザＩＤが一致する移動情報と購入情報とに、上記の所定の関係があると認めた場合には、その移動情報と購入情報とに基づいて、修正後購入情報を作成する。具体的には、請求額算出部６２は、購入情報に含まれる購入金額から、移動情報に含まれる運賃又は運賃の一部を減算することにより修正後購入金額を算出する。そして、購入情報に含まれる購入金額を修正後購入金額に置き換えることにより、修正後購入情報を作成する。
【００５０】
請求額算出部６２は、修正後購入情報を作成した場合、この情報を送受信部６１へ渡す。
【００５１】
〔動作例〕
次に、決済サーバ６の動作例について説明する。図２は、決済サーバ６の動作例を示すフローチャートである。以下の処理は、決済サーバ６において予め設定されたタイミングで開始されても良いし、移動情報や購入情報が決済サーバ６へ他の装置から送信される度に開始されても良い。
【００５２】
送受信部６１が移動情報や購入情報を受信すると、請求額算出部６２はそれらのデータを付図示の記憶装置に記憶する（Ｓ０１）。そして、請求額算出部６２は、記憶された移動情報と購入情報との組み合わせについて、以下の処理を実施する。
【００５３】
まず、請求額算出部６２は、移動情報と購入情報とのユーザＩＤが一致するか否か判断する（Ｓ０２）。一致する場合（Ｓ０２−ＹＥＳ）、請求額算出部６２は、その移動情報と購入情報とが所定の関係を有するか否か判断する（Ｓ０３）。所定の関係を有する場合（Ｓ０３−ＹＥＳ）、請求額算出部６２は、その購入情報に含まれる購入金額と移動情報に含まれる運賃とを用いて、修正後購入金額を算出する。そして、この購入情報に含まれる購入金額を、算出された修正後購入金額に置き換えることにより、修正後購入情報を作成する（Ｓ０４）。そして、請求額算出部６２は、以下に説明するＳ０５以降の処理を実行する。なお、ユーザＩＤが一致しない場合（Ｓ０２−ＮＯ）や、所定の関係を有しない場合（Ｓ０３−ＮＯ）は、請求額算出部６２は、上記Ｓ０４の処理を行うことなく以下に説明するＳ０５以降の処理を実行する。
【００５４】
請求額算出部６２は、移動情報と購入情報との全ての組み合わせについてＳ０２〜Ｓ０４の処理が実行されたか否か判断する（Ｓ０５）。まだ処理の対象となっていない組み合わせがある場合には（Ｓ０５−ＮＯ）、請求額算出部６２は、その組み合わせについてＳ０２〜Ｓ０４の処理を実行する。一方、全ての組み合わせについて処理が実行された場合には（Ｓ０５−ＹＥＳ）、送受信部６１は、修正後購入情報と購入情報とを中央サーバ５へ送信する（Ｓ０６）。
【００５５】
〔作用／効果〕
決済システム１では、データ記憶媒体２のユーザは、これまでとなんらかわりない手続で、交通機関の運賃の支払いや、店舗における商品の購入費用の支払いを行うことができる。一方で、所定の場合には、決済サーバ６によって、店舗における商品の購入費用が、使用した交通機関の運賃に応じて減額される。即ち、データ記憶媒体２のユーザが交通機関を利用して店舗へ商品の購入に赴いた場合には、決済サーバ６が、ユーザの交通機関利用により生じた運賃又はその一部をその購入費用から差し引くことにより修正後購入金額を算出する。そして、中央サーバ５は、当初の購入費用ではなく、決済サーバ６ａによって算出された修正後購入金額を、ユーザの口座から引き落とす。このため、店舗は、交通機関を利用してでも店舗に訪れてくれるお客さんに対し、その運賃の還元というサービスを容易に提供することが可能となる。これに伴い、お客さんにとっては買い物の便が良くなるという効果を奏し、店舗にとってはお客さんが遠くからでも買い物に来てくれるようになるという効果を奏し、交通機関にとってはその利用促進が図られるという効果を奏する。
【００５６】
〔変形例〕
以下、決済システム１の変形例について説明する。送信部４２は、購入情報を決済サーバ６のみでなく中央サーバ５へも同様に送信するよう構成されても良い。このように構成された場合の機能ブロック例を図３に示す。この場合、購入情報には、さらに購入情報ＩＤが含まれるように構成される。そして、決済サーバ６は、修正後購入情報を作成する際に、修正後購入金額を置き換える対象となる購入情報の購入情報ＩＤは書き換えないよう
に構成される。そして、中央サーバ５は、店舗側装置４から受信した購入情報のうち、決済サーバ６から受信した修正後購入情報と同じ購入情報ＩＤを有するものについては破棄するように構成されても良い。
【００５７】
また、送信部４２が購入情報を決済サーバ６のみでなく中央サーバ５へも同様に送信するよう構成された場合、決済サーバ６は、修正後購入情報を作成する際に、修正後購入金額に代えて、差引金額を修正後購入情報に含めるように構成されても良い。差引金額とは、修正後購入金額を算出する際に購入金額から差し引く割引金額（運賃又は運賃の一部の金額）を示す。この場合、中央サーバ５は、店舗側装置４から受信した購入情報から、同じ購入情報ＩＤを有する修正後購入情報に含まれる差引金額を減算することにより、修正後購入金額を算出する。
【００５８】
また、決済サーバ６は、移動情報を中央サーバ５から受信する際に、受信を望む移動情報を指定することにより、指定した移動情報のみを受信するように構成されても良い。この場合、例えば、決済サーバ６は、店舗側装置４から受信された購入情報に含まれるユーザＩＤを全て検出する。そして、この検出されたユーザＩＤを含む移動情報のみを送信するように中央サーバ５へ依頼をしても良い。
【００５９】
同様に、決済サーバ６は、さらに、所定の関係を有する移動情報のみを送信するように中央サーバ５へ依頼するように構成されても良い。この場合、決済サーバ６は、購入情報に含まれる購入店舗ＩＤや購入日時を中央サーバ５へ送信する必要がある。そして、中央サーバ５が、各移動情報について、受信された購入店舗ＩＤや購入日時に基づき、所定の関係を有するか否か判断し、決済サーバ６への送信を判断する。
【００６０】
また、店舗側装置４は、請求額算出部４３をさらに備えるように構成されても良い。図４は、このように構成された場合の決済システム１の機能ブロック例を示す図である。この場合、店舗側装置４の読み書き部４１は、データ記憶媒体２から移動情報を読み出すように構成される。また、請求額算出部４３は、読み書き部４１から移動情報及び購入情報を受け取る。そして、請求額算出部４３は、請求額算出部６２と同様の処理によって、修正後購入金額を算出する。即ち、請求額算出部４３は、その時点で発生した購入情報と、読み書き部４１によってデータ記憶媒体２から読み出された移動情報とについて、ユーザＩＤの一致及び所定の関係について判断し、修正後購入金額を算出する。そして、送受信部４２は、請求額算出部４３によって算出された修正後購入金額を含む修正後購入情報を決済サーバ６に送信する。このとき、送信部４２は、修正後購入情報を中央サーバ５に送信するように構成されても良い。また、店舗側装置４に備えられた不図示のＰＯＳシステムは、ユーザに支払いを求める金額を表示装置に表示する際に、修正後購入金額を表示するように構成されても良い。さらにこのとき、上記ＰＯＳシステムは、購入金額から差引金額を差し引いた旨や、交通機関を利用して買い物に来てくれたことに対する感謝のメッセージなどをさらに表示するように構成されても良い。このように構成されることにより、お客さんは、割引がされたことをその場で実感することができ、このようなサービスに対する満足感を味わうことができる。また、店舗にとっても、自身の店舗においてお客さんに満足感を味わってもらうことができ、良い印象を与えると共に販売促進の効果を得ることができる。
【図面の簡単な説明】
【００６１】
【図１】決済システムの機能ブロック例を示す図である。
【図２】決済サーバの動作例を示す図である。
【図３】決済システムの変形例における機能ブロック例を示す図である。
【図４】決済システムの変形例における機能ブロック例を示す図である。
【符号の説明】
【００６２】
１        決済システム
２        データ記憶媒体
３        交通機関側装置
３１      読み書き部
３２      送信部
４        店舗側装置
４１      読み書き部
４２      送信部
４３      請求額算出部
５        中央サーバ
５１      送受信部
５２      決済部
６        決済サーバ
６１      送受信部
６２      請求額算出部
【図１】
2006134018.tif 000003
【図２】
2006134018.tif 000004
【図３】
2006134018.tif 000005
【図４】
2006134018.tif 000006